(57)【要約】【課題】一般家庭への普及が期待できる監視カメラシステムを提供する。【解決手段】デジタルビデオカメラ１とハードディスクレコーダ２とがそれぞれ備えるＩＥＥＥ１３９４端子１ａ、２ｂ同士をＩＥＥＥ１３９４ケーブル３で接続される。ＩＥＥＥ１３９４ケーブル３を通じたハードディスクレコーダ２からの制御信号に従ってデジタルビデオカメラ１の動作が制御される。ハードディスクレコーダ２は、予め設定された時刻になると、デジタルビデオカメラ１を駆動させて、デジタルビデオカメラ１からＩＥＥＥ１３９４ケーブル３を通じて映像データを受け取り、受け取った映像データをハードディスク２ａに記録する。【選択図】図１
2007318372.tif 000002
【特許請求の範囲】
【請求項１】
デジタルビデオカメラからの映像データを外部のハードディスクレコーダのハードディスクに記録する監視カメラシステムであって、
前記デジタルビデオカメラと前記ハードディスクレコーダとがそれぞれ備えるＩＥＥＥ１３９４端子同士をＩＥＥＥ１３９４ケーブルで接続され、そのＩＥＥＥ１３９４ケーブルを通じた前記ハードディスクレコーダからの制御信号に従って前記デジタルビデオカメラの動作が制御されるようになっており、
前記ハードディスクレコーダは、予め設定された時刻になると、前記デジタルビデオカメラを駆動させて、前記デジタルビデオカメラから前記ＩＥＥＥ１３９４ケーブルを通じて映像データを受け取り、受け取った映像データを前記ハードディスクに記録することを特徴とする監視カメラシステム。
【請求項２】
デジタルビデオカメラからの映像データを外部の画像記録装置の記録媒体に記録する監視カメラシステムであって、
前記デジタルビデオカメラと前記画像記録装置とがそれぞれ備えるシリアルインターフェース端子同士をケーブルで接続され、そのケーブルを通じた前記画像記録装置からの制御信号に従って前記デジタルビデオカメラの動作が制御されるようになっており、
前記画像記録装置は、予め設定された時刻になると、前記デジタルビデオカメラを駆動させて、前記デジタルビデオカメラから前記ケーブルを通じて映像データを受け取り、受け取った映像データを前記記録媒体に記録することを特徴とする監視カメラシステム。
【請求項３】
前記画像記録装置は、前記記録媒体としてハードディスクを備えるハードディスクレコーダであることを特徴とする請求項２に記載の監視カメラシステム。
【請求項４】
前記シリアルインターフェース端子は、前記ケーブルとしてＩＥＥＥ１３９４ケーブルが接続されるＩＥＥＥ１３９４端子であることを特徴とする請求項２又は３に記載の監視カメラシステム。
【発明の詳細な説明】
【技術分野】
【０００１】
本発明は、監視カメラシステムに関する。
【背景技術】
【０００２】
近年、防犯やペット類の観察等を目的とした監視カメラシステムの需要が一層高まってきている。その反面、従来からの監視カメラシステムは、それ自体で監視機能を最大限に発揮できるよう特殊なものであり、一般的に高価である。従って、監視カメラシステムが一般家庭で広く普及していく状況とは言い難い。
【０００３】
一方、例えば特許文献１には、一般家庭への受け入れ易さを目指した監視カメラシステムが提案されている。この監視カメラシステムは、大きくは、ビデオカメラと、デジタルビデオテープデッキと、パーソナルコンピュータと、より成り、いずれも近年の一般家庭に広く受け入れられている汎用機器である。
【０００４】
カメラとビデオデッキとは、カメラが備える映像・音声出力端子、ビデオデッキが備えるアナログ入力端子同士をケーブルで接続される。ビデオデッキには、そのケーブルを介して動画情報が供給される。また、ビデオデッキとコンピュータとは、それぞれが備えるＩＥＥＥ（Institute of Electrical and Electronic Engineers）１３９４端子（ＤＶ端子）同士をＩＥＥＥ１３９４ケーブルで接続される。そのＩＥＥＥ１３９４ケーブルを介してビデオデッキとコンピュータとの間で動画情報と制御情報の授受が行われ、ビデオデッキは、コンピュータからの制御情報に従って動作が制御される。また、コンピュータには、部屋のドアの開閉を検出するドア開閉センサからのケーブルが接続される。
【０００５】
このような監視カメラシステムにおいては、ドア開閉センサがドアの開閉を検知すると、コンピュータは、そのドア開閉センサからの出力をトリガ入力として受けてビデオデッキの動作制御を行う。これにより、ビデオデッキは、カメラから供給される動画情報を自己の記録媒体であるテープに記録する。これと同時に、コンピュータは、ビデオデッキからＩＥＥＥ１３９４ケーブルを介して動画情報を受け取り、受け取った動画情報を自己の記録媒体であるハードディスクに記録する。
【特許文献１】特開２００４−８８１７０号公報
【発明の開示】
【発明が解決しようとする課題】
【０００６】
しかし、上記した監視カメラシステムでは、実際の監視を実行する、すなわちカメラによって撮影した動画情報を記録媒体（テープやハードディスク）に記録するにあたり、トリガ入力が必要であることから、そのトリガ入力を与えるドア開閉センサ等といったようなセンサの設置や、そのセンサとコンピュータとを接続するケーブルの配線が欠かせない。そのため、監視カメラシステム全体として実質的にコストが高くなり、一般家庭に受け入れられ易い監視カメラシステムとは決して言えない。
【０００７】
そこで本発明は、上記の問題に鑑みてなされたものであり、一般家庭への普及が期待できる監視カメラシステムを提供することを目的とするものである。
【課題を解決するための手段】
【０００８】
上記目的を達成するため、本発明による監視カメラシステムは、デジタルビデオカメラからの映像データを外部のハードディスクレコーダのハードディスクに記録する監視カメラシステムであって、前記デジタルビデオカメラと前記ハードディスクレコーダとがそれぞれ備えるＩＥＥＥ１３９４端子同士をＩＥＥＥ１３９４ケーブルで接続され、そのＩＥＥＥ１３９４ケーブルを通じた前記ハードディスクレコーダからの制御信号に従って前記デジタルビデオカメラの動作が制御されるようになっており、前記ハードディスクレコーダは、予め設定された時刻になると、前記デジタルビデオカメラを駆動させて、前記デジタルビデオカメラから前記ＩＥＥＥ１３９４ケーブルを通じて映像データを受け取り、受け取った映像データを前記ハードディスクに記録する。
【０００９】
このような構成にすると、ハードディスクレコーダの持つタイマー機能を利用して、使用者が意図する時刻を予め設定しておけば、その所望の時刻からのデジタルビデオカメラによる映像データがハードディスクレコーダのハードディスクに記録される。従って、使用者の意図する時間に監視を有効に実行できる。しかも、その構成要素は、近年の一般家庭に広く受け入れられている汎用機器のみで実現される。
【００１０】
また、上記目的を達成するための本発明による監視カメラシステムは、デジタルビデオカメラからの映像データを外部の画像記録装置の記録媒体に記録する監視カメラシステムであって、前記デジタルビデオカメラと前記画像記録装置とがそれぞれ備えるシリアルインターフェース端子同士をケーブルで接続され、そのケーブルを通じた前記画像記録装置からの制御信号に従って前記デジタルビデオカメラの動作が制御されるようになっており、前記画像記録装置は、予め設定された時刻になると、前記デジタルビデオカメラを駆動させて、前記デジタルビデオカメラから前記ケーブルを通じて映像データを受け取り、受け取った映像データを前記記録媒体に記録する。
【００１１】
このような構成にすると、画像記録装置の持つタイマー機能を利用して、使用者が意図する時刻を予め設定しておけば、その所望の時刻からのデジタルビデオカメラによる映像データが画像記録装置の記録媒体に記録される。従って、使用者の意図する時間に監視を有効に実行できる。しかも、その構成要素は、近年の一般家庭に広く受け入れられている汎用機器のみで実現される。
【００１２】
ここで、実用的には、前記画像記録装置は、前記記録媒体としてハードディスクを備えるハードディスクレコーダであることが好ましい。
【００１３】
また、前記シリアルインターフェース端子は、前記ケーブルとしてＩＥＥＥ１３９４ケーブルが接続されるＩＥＥＥ１３９４端子であることが好ましい。
【発明の効果】
【００１４】
本発明の監視カメラシステムによれば、使用者の意図する時間に監視を有効に実行できるし、その構成要素が、近年の一般家庭に広く受け入れられている汎用機器のみで実現されるため、一般家庭への普及が大いに期待できる。
【発明を実施するための最良の形態】
【００１５】
以下に、本発明の監視カメラシステムの一実施形態について、図面を参照しながら詳述する。図１は本発明の一実施形態である監視カメラシステムの概略構成を示すブロック図、図２はその監視カメラシステムの動作を示すフローチャートである。
【００１６】
図１に示すように、本実施形態の監視カメラシステムは、大きくは、デジタルビデオカメラ１と、画像記録装置であるハードディスクレコーダ２と、より構成される。
【００１７】
デジタルビデオカメラ１は、信号の入出力が可能なシリアルインターフェース端子として、一般にはＤＶ端子とも呼ばれる４ピンのＩＥＥＥ１３９４端子１ａを備える。ここでのデジタルビデオカメラ１では、光学系を通じてＣＭＯＳ（Complementary Metal Oxide Semiconductor）イメージセンサやＣＣＤ（Charge Coupled Devices）イメージセンサ等の撮像素子で取得した映像データや、マイクで取得した音声データを、ＩＥＥＥ１３９４端子１ａから出力することができる。
【００１８】
もっとも、デジタルビデオカメラ１は、本質的な撮影機能として、映像データや音声データを、自己が備える記録媒体、例えばＤＶＤ（Digital Versatile Disk）やハードディスクやデジタルビデオテープに記録することができる。
【００１９】
一方、ハードディスクレコーダ２は、記録媒体であるハードディスク２ａを備え、デジタルビデオカメラ１と同様の形式のＩＥＥＥ１３９４端子２ｂを備える。このハードディスクレコーダ２とデジタルビデオカメラ１とは、それぞれが備えるＩＥＥＥ１３９４端子２ｂ、ＩＥＥＥ１３９４端子１ａ同士をＩＥＥＥ１３９４ケーブル３で接続される。ここでのハードディスクレコーダ２では、デジタルビデオカメラ１のＩＥＥＥ１３９４端子１ａから出力された映像データ（音声データも含む）を、ＩＥＥＥ１３９４ケーブル３を通じてＩＥＥＥ１３９４端子２ｂより受け取り、受け取った映像データをハードディスク２ａに記録することができる。また、ハードディスクレコーダ２は、そのＩＥＥＥ１３９４ケーブル３を通じてデジタルビデオカメラ１に制御信号を送出し、デジタルビデオカメラ１はその制御信号に従って動作が制御される。
【００２０】
もっとも、ハードディスクレコーダ２は、本質的な録画機能として、アンテナ４で受信した放送番組の映像データ（音声データも含む）を、予約録画や録画操作に従ってハードディスク２ａに記録することができる。予約録画にあたっては、ハードディスクレコーダ２の持つタイマー機能を用い、使用者が予め録画対象番組のチャネル、録画開始時刻、録画終了時刻、録画日等を設定する。また、ハードディスクレコーダ２は、本質的な再生機能として、再生操作に従ってハードディスク２ａから映像データを読み出し、読み出した映像データをモニタ装置であるテレビ５に送出して、使用者に視聴させることができる。
【００２１】
続いて、このような監視カメラシステムの動作について、図２を参照しながら説明する。先ず、ハードディスクレコーダ２とデジタルビデオカメラ１とが、それぞれのＩＥＥＥ１３９４端子２ｂ、ＩＥＥＥ１３９４端子１ａ同士をＩＥＥＥ１３９４ケーブル３で接続された状態で、ステップ＃５において、使用者の操作によりデジタルビデオカメラ１を撮影スタンバイのモードにしておく。ここでのデジタルビデオカメラ１は、使用者が意図する室内や窓越しの室外等が撮影できる場所に据え付けられる。
【００２２】
次に、ステップ＃１０において、ハードディスクレコーダ２の持つタイマー機能を利用して、使用者の入力操作により監視にまつわる条件を設定する。ここでは、監視を開始する時刻、監視を終了する時刻、監視を実行する日時等が設定され、信号入力の対象に、外部ライン入力すなわちＩＥＥＥ１３９４端子２ｂが指定される。こうして、ハードディスクレコーダ２ひいては監視カメラシステムのタイマーの作動が始まる。
【００２３】
ハードディスクレコーダ２では、ステップ＃１５において、監視開始時刻に至った否かが継続的に判断される。監視開始時刻になると、ハードディスクレコーダ２は、ステップ＃２０において、ＩＥＥＥ１３９４ケーブル３を通じてデジタルビデオカメラ１に制御信号を送出し、デジタルビデオカメラ１を駆動させる。これにより、デジタルビデオカメラ１では、撮影が始まって、その映像データ（音声データも含む）をＩＥＥＥ１３９４ケーブル３に出力する。ハードディスクレコーダ２では、ステップ＃２５において、デジタルビデオカメラ１からＩＥＥＥ１３９４ケーブル３に出力された映像データを受け取り、受け取った映像データをハードディスク２ａに記録する。こうして、監視が実行される。
【００２４】
そして、ハードディスクレコーダ２では、ステップ＃３０において、監視終了時刻に至った否かが継続的に判断される。監視終了時刻になると、ハードディスクレコーダ２は、ステップ＃３５において、ハードディスク２ａへの記録を停止する。これと合わせて、ハードディスクレコーダ２は、ステップ＃４０において、ＩＥＥＥ１３９４ケーブル３を通じてデジタルビデオカメラ１に制御信号を送出し、デジタルビデオカメラ１を停止して撮影スタンバイモードにする。これで、監視が終わる。
【００２５】
なお、本実施形態では、映像データを、監視の開始からいきなりハードディスクレコーダ２のハードディスク２ａに記録するようにしているが、先ずはデジタルビデオカメラ１が備える記録媒体に記録し、その記録媒体の記憶容量が不足した時点でハードディスクレコーダ２のハードディスク２ａに記録するようにしてもよい。
【００２６】
このような監視カメラシステムによれば、ハードディスクレコーダ２の持つタイマー機能を利用して、使用者が意図する時刻を予め設定しておけば、その所望の時刻からのデジタルビデオカメラ１による映像データがハードディスクレコーダ２のハードディスク２ａに記録されるため、使用者の意図する時間に監視を有効に実行できる。しかも、監視カメラシステムの構成要素は、近年の一般家庭に広く受け入れられている汎用機器であるデジタルビデオカメラ１、ハードディスクレコーダ２のみで実現される。勿論、その両者を接続するＩＥＥＥ１３９４ケーブル３は、一般市場で安価に入手できる。従って、一般家庭への普及が大いに期待できる監視カメラシステムと言える。
【００２７】
また、本実施形態では、画像記録装置としてハードディスクレコーダ２を採用し、その記録媒体が記憶容量の大きいハードディスク２ａであるため、監視の際の映像データの記録時間を十分に確保できる利点がある。
【００２８】
その他本発明は上記の実施形態に限定されず、本発明の趣旨を逸脱しない範囲で、種々の変更が可能である。例えば、デジタルビデオカメラ１とハードディスクレコーダ２とがそれぞれ備えるシリアルインターフェース端子がＵＳＢ（Universal Serial Bus）端子である場合にも適用でき、この場合は、やはり一般市場で安価に入手できるＵＳＢケーブルで両者を接続すればよい。また、上記の実施形態では、画像記録装置として、ハードディスクレコーダ２を例に挙げて説明したが、記録媒体としてＤＶＤを採用したＤＶＤレコーダや、これらの複合機であっても構わない。
【産業上の利用可能性】
【００２９】
本発明は、一般家庭で用いられる監視カメラシステムに有用である。
【図面の簡単な説明】
【００３０】
【図１】本発明の一実施形態である監視カメラシステムの概略構成を示すブロック図である。
【図２】図１の監視カメラシステムの動作を示すフローチャートである。
【符号の説明】
【００３１】
１    デジタルビデオカメラ
１ａ    ＩＥＥＥ１３９４端子
２    ハードディスクレコーダ
２ａ    ハードディスク
２ｂ    ＩＥＥＥ１３９４端子
３    ＩＥＥＥ１３９４ケーブル
【図１】
2007318372.tif 000003
【図２】
2007318372.tif 000004